(57)【要約】【課題】  異物の付着に起因してホルダーの動作性が損なわれるのを防ぐ。【解決手段】  保持筒１０の前端開口部から突出するホルダー２０に加わる径方向の力成分によりホルダー２０に挿通される鉛芯ｘ及び保持筒１０に相対しホルダー２０を前進させるシャープペンシルユニット１を備え、シャープペンシルユニット１を所定の操作により前進させて軸筒ａ１の前端開口から突出させるようにした出没式筆記具において、保持筒１０の外周前端側に後方向きに拡径する拡径部１１ａを設け、シャープペンシルユニット１の前進中に、拡径部１１ａを軸筒ａ１の先細状の内壁面に摺接させて、ホルダー２０と保持筒１０の前端開口部との接触部１１ｂが、軸筒ａ１の内壁面との間に隙間ｓを確保するようにした。【選択図】  図４
2020090039.tif 000002
【特許請求の範囲】
【請求項１】
保持筒の前端開口部から突出するホルダーに加わる径方向の力成分により前記ホルダーに挿通される鉛芯及び前記保持筒に相対し前記ホルダーを前進させるシャープペンシルユニットを備え、前記シャープペンシルユニットを所定の操作により前進させて軸筒の前端開口から突出させるようにした出没式筆記具において、
前記保持筒の外周前端側に後方向きに拡径する拡径部を設け、前記シャープペンシルユニットの前進中に、前記拡径部を前記軸筒の先細状の内壁面に摺接させて、前記ホルダーと前記保持筒の前端開口部との接触部が、前記軸筒の内壁面との間に隙間を確保するようにしたことを特徴とする出没式筆記具。
【請求項２】
前記ホルダーの前端部と前記拡径部との双方が、前記軸筒の先細状の内壁面に摺接するようにしたことを特徴とする請求項１記載の出没式筆記具。
【請求項３】
前記拡径部は、後方へ向かって徐々に拡径する傾斜面を有し、この傾斜面は、前部側よりも後部側の方が緩い傾斜角度に形成されていることを特徴とする請求項１又は２記載の出没式筆記具。
【請求項４】
前記傾斜面は、前側に位置する第１の傾斜面と、この第１の傾斜面の後端に接続されるとともに第１の傾斜面よりも緩い傾斜角度の第２の傾斜面とからなり、前記シャープペンシルユニットの前進中、第２の傾斜面の少なくとも一部が前記軸筒の先細状の内壁面に摺接するようにしたことを特徴とする請求項３記載の出没式筆記具。
【発明の詳細な説明】
【技術分野】
【０００１】
本発明は、シャープペンシルユニットを具備した出没式筆記具に関するものである。
【背景技術】
【０００２】
従来、この種の発明に関連し、例えば特許文献１には、保持筒と、保持筒の前側開口部に挿通されてこの保持筒の前端から前方へ突出するとともにこの保持筒に対し進退可能に支持されたホルダーと、ホルダーに挿通される鉛芯を前方へ繰り出す鉛芯繰出し機構と、鉛芯からホルダーに加わる径方向の力によりこのホルダーを保持筒及び鉛芯に相対し前進させる運動方向変換機構とを備えたシャープペンシルユニットが記載されている。そして、このシャープペンシルユニットを軸筒に収容すれば、容易に出没式筆記具を構成することができる。
この出没式筆記具によれば、所定の操作によりシャープペンシルユニットを前進させて、このシャープペンシルユニットの前端のホルダーを軸筒前端の開口から突出させた状態において、ホルダーから突出した鉛芯に径方向の力が加わると、ホルダーが保持筒及び鉛芯に相対して前進するため、このホルダーにより鉛芯を覆い保護することができる。
【先行技術文献】
【特許文献】
【０００３】
【特許文献１】特開２０１７−１５９５７９号公報
【発明の概要】
【発明が解決しようとする課題】
【０００４】
しかしながら、上記従来技術によれば、軸筒内壁面の前端側に異物（例えば、落下衝撃等に起因して飛散したインクや、ゴミ、埃等）付着している状態で、シャープペンシルユニットを前進させると、ホルダー及び保持筒等が軸筒の前端側の内壁面に擦れた際に、前記異物が、ホルダーと保持筒の前端開口部との接触部に転移して、ホルダーの動作性が損なわれてしまうおそれがある。
【課題を解決するための手段】
【０００５】
このような課題に鑑みて、本発明は、以下の構成を具備するものである。
保持筒の前端開口部から突出するホルダーに加わる径方向の力成分により前記ホルダーに挿通される鉛芯及び前記保持筒に相対し前記ホルダーを前進させるシャープペンシルユニットを備え、前記シャープペンシルユニットを所定の操作により前進させて軸筒の前端開口から突出させるようにした出没式筆記具において、前記保持筒の外周前端側に後方向きに拡径する拡径部を設け、前記シャープペンシルユニットの前進中に、前記拡径部を前記軸筒の先細状の内壁面に摺接させて、前記ホルダーと前記保持筒の前端開口部との接触部が、前記軸筒の内壁面との間に隙間を確保するようにしたことを特徴とする出没式筆記具。
【発明の効果】
【０００６】
本発明は、以上説明したように構成されているので、異物の付着に起因してホルダーの動作性が損なわれるのを防ぐことができる。
【図面の簡単な説明】
【０００７】
【図１】本発明に係る出没式筆記具の一例を示す内部構造図である。
【図２】同出没式筆記具に内在するシャープペンシルユニットの一例を示す縦断面図である。
【図３】鉛芯繰出し機構の作用を示す縦断面図であり、（ａ）は通常の筆記状態、（ｂ）はホルダーを前進させた状態を示す。なお、ハッチングは前の状態に対し移動した部分を示す。
【図４】前進するシャープペンシルユニットと軸筒内壁面との関係を（ａ）〜（ｃ）に順次に示す縦断面図である。
【発明を実施するための形態】
【０００８】
本実施の形態では、以下の特徴を開示している。
第１の特徴は、保持筒の前端開口部から突出するホルダーに加わる径方向の力成分により前記ホルダーに挿通される鉛芯及び前記保持筒に相対し前記ホルダーを前進させるシャープペンシルユニットを備え、前記シャープペンシルユニットを所定の操作により前進させて軸筒の前端開口から突出させるようにした出没式筆記具において、前記保持筒の外周前端側に後方向きに拡径する拡径部を設け、前記シャープペンシルユニットの前進中に、前記拡径部を前記軸筒の先細状の内壁面に摺接させて、前記ホルダーと前記保持筒の前端開口部との接触部が、前記軸筒の内壁面との間に隙間を確保するようにした（図１〜図４参照）。
この構成によれば、前記隙間により、軸筒の内壁面に付着した異物が前記接触部に転移して、ホルダーの動作性が損なわれてしまうのを防ぐことができる。
【０００９】
第２の特徴は、前記隙間をより確実に確保するために、前記ホルダーの前端部と前記拡径部との双方を、前記軸筒の先細状の内壁面に摺接させるようにした。
【００１０】
第３の特徴として、拡径部を軸筒内面に対し滑らかに摺接させるために、前記拡径部は、後方へ向かって徐々に拡径する傾斜面を有し、この傾斜面は、前部側よりも後部側の方が緩い傾斜角度に形成されている（図４参照）。
【００１１】
第４の特徴として、摩擦抵抗の小さい具体的構造を得るために、前記傾斜面は、前側に位置する第１の傾斜面と、この第１の傾斜面の後端に接続されるとともに第１の傾斜面よりも緩い傾斜角度の第２の傾斜面とからなり、前記シャープペンシルユニットの前進中、第２の傾斜面の少なくとも一部が前記軸筒の先細状の内壁面に摺接するようにした（図４参照）。
【００１２】
＜具体的実施態様＞
次に、上記特徴を有する具体的な実施態様について、図面に基づいて詳細に説明する。本明細書中、軸方向とは、軸筒ａ１又は保持筒１０の中心線の延びる方向を意味する。また、「前」とは、前記軸方向の一方側であって鉛芯が繰り出される方向を意味する。また、「後」とは、前記一方側に対する逆方向側を意味する。
【００１３】
図１に示す出没式筆記具Ａは、複数の駒ａ２，ａ３を選択的に前進させる操作により、前進した駒ａ２（又はａ３）に接続されたリフィールの前端筆記部を、軸筒ａ１前端から前方へ突出させる。前記リフィールは、図示例によれば、シャープペンシルユニット１又はボールペンリフィール２である。
例えば、開閉機能付きクリップａ６を有する駒ａ２が、コイルスプリングａ４の付勢力に抗して前進操作され、この駒ａ２に接続されたシャープペンシルユニット１（リフィール）の前端筆記部が、軸筒ａ１の前端開口部から前方へ突出すると、駒ａ２が軸筒ａ１内に設けられる係止部ａ５に係止され、この突出状態が維持される。
この突出状態において、クリップａ６をノック操作すれば、シャープペンシルユニット１の前端から鉛芯ｘが繰り出される。
なお、この多機能出没式筆記具Ａには、例えば特開２０１４−１９８４３９号公報に示される基本構造を適用することが可能である。
【００１４】
軸筒ａ１は、単数もしくは複数の筒状部材から長尺円筒状に形成され、その前端側の内周面を、前方へ向かって徐々に縮径される先細筒状（言い換えれば、すり鉢状、もしくは凹曲面状）に形成している。なお、他例としては、軸筒ａ１前端側の内壁面形状を、湾曲しない円錐面状や、その他の先細状とすることが可能である。
【００１５】
シャープペンシルユニット１は、保持筒１０と、保持筒１０内に支持された鉛芯繰出し機構Ｍ１と、保持筒１０の後端側に貫通状に挿通された芯タンク部６０と、鉛芯ｘに加わる径方向の力成分によりホルダー２０を鉛芯ｘに相対し前進させる運動方向変換機構Ｍ２とを具備し、クリップａ６のノック操作に伴う芯タンク部６０の進退により鉛芯ｘを繰り出す。
【００１６】
保持筒１０は、図示例によれば、ホルダー２０を前方へ突出させるようにして内在する第１の筒部１１と、この第１の筒部１１の後端側に同芯状に接続された第２の筒部１２と、この第２の筒部１２の後端側に同芯状に接続された第３の筒部１３とから一体筒状に構成される。これら複数の筒部１１，１２，１３は、その一部または全部を一体の部材とすることが可能である。
【００１７】
鉛芯繰出し機構Ｍ１は、芯タンク部６０から伝達される進退運動に伴い、チャック部４０に挟持した鉛芯ｘを繰り出す。また、この鉛芯繰出し機構Ｍ１は、チャック部４０に挟持した鉛芯ｘに予め設定された筆圧よりも強い後方向きの荷重が加わった際に、鉛芯ｘと共にチャック部４０等を後退させる。
【００１８】
芯タンク部６０は、図示例によれば複数の筒状部材を連結してなり、その後端部を、出没式筆記具Ａの駒ａ２に接続している。この芯タンク部６０は、単数の筒状部材から構成することも可能である。
【００１９】
運動方向変換機構Ｍ２は、第１の筒部１１、ホルダー２０、及びホルダー付勢部材２３等によって構成される。
【００２０】
ホルダー２０は、図示例によれば、ホルダー本体部２１と、ホルダー本体部２１の後側に接続された受け部２２との二部材から一体的に構成されるが、これらを単一の部材から構成することも可能である。
このホルダー２０は、付勢部材２３（図示例によればコイルスプリング）によって、後方へ付勢されている。
ホルダー２０外周面には、前方向きに徐々に拡径する環状のカム斜面２１ａが設けられる。
【００２１】
上記構成の運動方向変換機構Ｍ２によれば、図３（ａ）に示す通常の筆記状態では、ホルダー２０のカム斜面２１ａと、保持筒１０の前端開口部との間に、全周にわたる接触部１１ｂが構成される。
また、図３（ｂ）に示すように、鉛芯ｘが強く被筆記面ｐ（例えば紙面等）に押し付けられる等して、鉛芯ｘに過剰な径方向の力が加わった際には、保持筒１０の前端開口部にカム斜面２１ａが摺接することで、鉛芯ｘ及び保持筒１０に相対しホルダー２０が前進する。このため、鉛芯ｘの損傷を防ぐことができる。
【００２２】
なお、鉛芯繰出し機構Ｍ１及び運動方向変換機構Ｍ２の基本構造には、例えば、特許文献１に開示されるものを適用することが可能である。
【００２３】
また、保持筒１０外周面の前端側には、後方へ向かって徐々に拡径する環状の拡径部１１ａが設けられる。この拡径部１１ａは、前部側よりも後部側の方が緩い傾斜面状に形成される。
【００２４】
詳細に説明すれば、拡径部１１ａは、後方へ向かって徐々に拡径する第１の傾斜面１１ａ１と、この第１の傾斜面１１ａ１の後側に接続されるとともに第１の傾斜面１１ａ１よりも緩い傾斜角度の第２の傾斜面１１ａ２とから構成される。
第２の傾斜面１１ａ２は、保持筒１０前端部と共に、軸筒ａ１の先細状の内壁面に接触するように構成される。すなわち、図４（ａ）に示すように、保持筒１０の前端部が保持筒１０内壁面に接した状態で、第２の傾斜面１１ａ２の少なくとも一部（例えば、第２の傾斜面１１ａ２の前端又は後端の角部分）が、同内壁面の後側に接触するようになっている。
【００２５】
次に、上記構成の出没式筆記具Ａについて、その特徴的な作用効果を詳細に説明する。
シャープペンシルユニット１が軸筒ａ１内に収容された初期状態において、クリップａ６が前方へ押し動かされると、このクリップａ６と一体的に、駒ａ２及びシャープペンシルユニット１が前進する。
この際、シャープペンシルユニット１の前端側では、図４（ａ）に示すように、ホルダー２０前端部と、第２の傾斜面１１ａ２の少なくとも一部とのうち、その一方又は双方が、軸筒ａ１の先細状の内壁面に接触する。
そして、この接触により、ホルダー２０及び保持筒１０の接触部１１ｂと、軸筒ａ１内壁面との間に、隙間ｓが確保される。
【００２６】
隙間ｓは、図４（ｂ）に示すように、シャープペンシルユニット１がさらに前進した状態においても確保される。
このため、接触部１１ｂは、軸筒ａ１の内壁面や前端開口部ａ１１の内縁等にほとんど接触することなく、軸筒ａ１前端よりも前方へ移動する。
【００２７】
よって、軸筒ａ１前端側の内周面や、前端開口部ａ１１の内縁に、インクや埃等の異物が付着していたとしても、この異物が、接触部１１ｂに転移するのを防ぐことができ、ひいては、ホルダー２０による鉛芯保護動作（図３（ａ）（ｂ）参照）が、異物によって妨げられるようなことを防ぐことができる。
しかも、本実施の形態の好ましい一例によれば、拡径部１１ａを第２の傾斜面１１ａ２によって緩やな斜面に形成しているため、前記移動の際の摩擦抵抗が比較的小さく、作動感が良好である。
【００２８】
上記実施の形態によれば、拡径部１１ａを第１の傾斜面１１ａ１と第２の傾斜面１１ａ２から形成したが、他の好ましい一例としては、第１の傾斜面１１ａ１及び第２の傾斜面１１ａ２を、連続する凸曲面状の拡径部に置換した態様とすることが可能である。さらに、拡径部１１ａの他例としては、後方へ向かって段状に拡径する態様とすることも可能である。
【００２９】
また、本発明は上述した実施態様に限定されず、本発明の要旨を変更しない範囲で適宜変更可能である。
【符号の説明】
【００３０】
１：シャープペンシルユニット
１０：保持筒
２０：ホルダー
２１：ホルダー本体部
１１ａ：拡径部
１１ａ１：第１の傾斜面
１１ａ２：第２の傾斜面
１１ｂ：接触部
Ａ：出没式筆記具
Ｍ１：鉛芯繰出し機構
Ｍ２：運動方向変換機構
ａ１：軸筒
ｓ：隙間
ｘ：鉛芯
【図１】
2020090039.tif 000003
【図２】
2020090039.tif 000004
【図３】
2020090039.tif 000005
【図４】
2020090039.tif 000006